(57)【要約】      （修正有）【課題】不要共振の抑制及びレンズチルト変化の抑制が両立する対物レンズアクチュエータ及びこれを備える光ピックアップを提供する。【解決手段】対物レンズアクチュエータ３はフレキシブル配線基板３６の両側端部が固定部材３５に着接され、且つ、フレキシブル配線基板３６は緊張状態で固定部材３５に取り付けられる。光ピックアップは前記対物レンズアクチュエータ３を備える。【選択図】図３
2015038795.tif 000002
【特許請求の範囲】
【請求項１】
対物レンズと、
前記対物レンズを保持するレンズホルダと、
一端が前記レンズホルダに取り付けられ他端がフレキシブル配線基板に取り付けられる支持部材と、
前記フレキシブル配線基板が取り付けられる固定部材と、
を備え、
前記フレキシブル配線基板の両側端部は前記固定部材に着接され、且つ、前記フレキシブル配線基板は緊張状態で前記固定部材に取り付けられる対物レンズアクチュエータ。
【請求項２】
前記両側端部と前記固定部材との着接方向と前記支持部材の長さ方向とが略直交する請求項１に記載の対物レンズアクチュエータ。
【請求項３】
前記固定部材と前記フレキシブル配線基板との間にタンジェンシャル方向に移動可能に配された可動部材を備え、前記可動部材に押されて前記フレキシブル配線基板が緊張状態になる請求項２に記載の対物レンズアクチュエータ。
【請求項４】
前記可動部材と前記フレキシブル配線基板との間に補強部材を配した請求項３に記載の対物レンズアクチュエータ。
【請求項５】
請求項１〜請求項４のいずれか１項に記載の対物レンズアクチュエータを備える光ピックアップ。
【発明の詳細な説明】
【技術分野】
【０００１】
本発明は、対物レンズアクチュエータ及びこれを備える光ピックアップに関する。
【背景技術】
【０００２】
光ピックアップはＢｌｕ−ｒａｙ Ｄｉｓｃ（登録商標）やＤＶＤなどの光ディスクから情報を読み取ったり、光ディスクに情報を書き込んだりする際に利用される。光ピックアップは一般に、ピックアップベース、光源、対物レンズアクチュエータを備える。対物レンズアクチュエータはピックアップベースの内部に配置されるアクチュエータベース、光源から出射される光を光ディスクの情報記録面に集光する対物レンズ、対物レンズを保持するレンズホルダを備える。光ピックアップは対物レンズが集光した光で情報を読み取り、また対物レンズが集光した光で情報を書き込む。
【０００３】
光ピックアップは光ディスクで反射した光を読み取って出力する電気信号を最も適正な値で得ることができるよう、対物レンズを適正な位置に調整する必要がある。そこで対物レンズは少なくともフォーカス方向、ラジアル方向及びタンジェンシャル方向に移動可能に構成される。なお、フォーカス方向とは光ディスクの情報記録面に対して垂直な方向である。ラジアル方向とは光ディスクの半径方向であり、トラッキング方向と称されることもある。タンジェンシャル方向とは光ディスクの情報トラックの接線と平行な方向である。
【０００４】
対物レンズを保持するレンズホルダは弾性を有する複数のワイヤによってアクチュエータベースに対して揺動可能に支持されている。このようなレンズホルダはフォーカス用コイル、トラッキング用コイル、チルト用コイル及び導電基板を備え、各ワイヤの一端は導電基板に半田付けにて固定され、導電基板を介して各コイルに電気的に接続される。
【０００５】
ところで対物レンズアクチュエータにより対物レンズを駆動する際には不要共振（ピッチング、ヨーイング）が発生することが知られており、不要共振により光ピックアップのサーボ特性に悪影響を与えるという問題がある。なお、ピッチングとはトラッキング方向を軸とした軸回りに発生する共振であり、ヨーイングとはフォーカス方向を軸とした軸回りに発生する共振である。
【０００６】
そこで不要共振を抑制するために特許文献１の制振構造において各ワイヤの他端はゲル材が充填されたゲルホルダに挿通され、ゲルホルダに取り付けられた配線基板のワイヤ固定部分でゲル材を挟持するように設けられる。
【先行技術文献】
【特許文献】
【０００７】
【特許文献１】特開２００１−２３２０５号公報
【発明の概要】
【発明が解決しようとする課題】
【０００８】
ところで、配線基板の厚みを薄くすれば配線基板が変形しながら振動を抑制するのでダンパー効果が高まり、より一層不要共振が抑制されるが、厚みが薄いことに起因して高湿度、高温度の環境下では熱応力により基板に捻れや反りが発生やすくなる。その結果、レンズホルダを支持しているワイヤが傾いてレンズチルトの変化量が大きくなるという問題があった。特許文献１では、支持基板の両側端が中継部材に対して浮いた状態となっており、捻れの発生を十分に抑制することができない。従って、支持基板の捻れに基づいてレンズチルトの変化量が大きくなることを防ぐことができなかった。
【０００９】
本発明は上述した問題点に鑑み、不要共振の抑制及びレンズチルト変化の抑制を実現する対物レンズアクチュエータ及びこれを備える光ピックアップを提供すること目的とする。
【課題を解決するための手段】
【００１０】
上記目的を達成するために本発明の対物レンズアクチュエータは、対物レンズと、前記対物レンズを保持するレンズホルダと、一端が前記レンズホルダに取り付けられ他端がフレキシブル配線基板に取り付けられる支持部材と、前記フレキシブル配線基板が取り付けられる固定部材と、を備え、前記フレキシブル配線基板の両側端部は前記固定部材に着接され、且つ、前記フレキシブル配線基板は緊張状態で前記固定部材に取り付けられることを特徴としている。
【００１１】
また上記構成の対物レンズアクチュエータにおいて、前記両側端部と前記固定部材との着接方向と前記支持部材の長さ方向とが略直交することが望ましい。
【００１２】
また上記構成の対物レンズアクチュエータにおいて、前記固定部材と前記フレキシブル配線基板との間にタンジェンシャル方向に移動可能に配された可動部材を備え、前記可動部材に押されて前記フレキシブル配線基板が緊張状態になることが望ましい。
【００１３】
また上記構成の対物レンズアクチュエータにおいて、前記可動部材と前記フレキシブル配線基板との間に補強部材を配したことが望ましい。
【００１４】
上記目的を達成するために本発明の光ピックアップは上記対物レンズアクチュエータを備えることを特徴としている。
【発明の効果】
【００１５】
本発明によれば、支持部材の他端がフレキシブル配線基板に取り付けられるので、不要共振が抑制される。また、フレキシブル配線基板の両側端部が固定部材に着接され、フレキシブル配線基板が緊張状態で固定部材に取り付けられることで配線基板に生ずる捻れや反りが抑制される。フレキシブル配線基板に生ずる捻れ及び反りが抑制されることでレンズチルト変化が抑制される。
【図面の簡単な説明】
【００１６】
【図１】光ピックアップの構成を示す上面図
【図２】光ピックアップの光学系の構成を示す概略構成図
【図３】対物レンズアクチュエータの構成を示す上面図
【図４】対物レンズアクチュエータの構成を示す正面図
【図５】対物レンズアクチュエータの構成を示す左側面図
【図６】対物レンズアクチュエータの構成を示す右側面図
【図７】配線基板の両側端部をゲルホルダに取り付けた状態を示す上面図
【図８】配線基板の両側端部をゲルホルダに取り付けた状態を示す正面図
【図９】配線基板の両側端部をゲルホルダに取り付けた状態を示す右側面図
【図１０】配線基板が緊張状態でゲルホルダに取り付けられている状態を示す上面図
【図１１】配線基板が緊張状態でゲルホルダに取り付けられている状態を示す正面図
【図１２】配線基板が緊張状態でゲルホルダに取り付けられている状態を示す右側面図
【図１３】配線基板が緊張状態でゲルホルダに取り付けられている状態の第２例を示す上面図
【図１４】配線基板が緊張状態でゲルホルダに取り付けられている状態の第２例を示す正面図
【図１５】配線基板が緊張状態でゲルホルダに取り付けられている状態の第３例を示す上面図
【図１６】配線基板が緊張状態でゲルホルダに取り付けられている状態の第４例を示す上面図
【発明を実施するための形態】
【００１７】
＜第１実施形態＞
以下に本発明の対物レンズアクチュエータ及び光ピックアップについて図面を参照して説明する。なお、以下に示す実施形態は、本発明の技術的思想を具体化するために対物レンズアクチュエータ及び光ピックアップの一例を示すものであって、本発明をこの対物レンズアクチュエータ及び光ピックアップに特定することを意図するものではなく、特許請求の範囲に含まれるその他の実施形態の対物レンズアクチュエータ及び光ピックアップにも等しく適応し得るものである。
【００１８】
なお、本明細書では図１及び図３〜図６に示すＸＹＺ座標で、Ｘ軸方向を左右、Ｙ軸方向を前後、Ｚ軸方向を上下とする。詳細には、図１の紙面に対して右手側を右側、左手側を左側とする。また、図１の紙面に対して上側を背面側、下側を正面側とする。また、図１の紙面に対して手前側を上面側、奥側を下面側とする。なお、Ｘ軸方向、Ｙ軸方向、Ｚ軸方向は夫々タンジェンシャル方向、ラジアル方向、フォーカス方向と言い換えることができる。
【００１９】
図１は光ピックアップ１の構成を示す上面図である。図２は光ピックアップ１の光学系の構成を示す概略構成図である。光ピックアップ１は合成樹脂製のピックアップベース２、ピックアップベース２の内部に配置される対物レンズアクチュエータ３を備える。
【００２０】
ピックアップベース２の右端には２個の軸受部２ａ、２ｂが互いに間隔を置く形で形成され、ピックアップベース２の左端には１個の軸受部２ｃが形成される。光ディスク装置内には２本の水平なガイドシャフトＧＳが互いに間隔を置き且つ平行する形で配置されている。一方のガイドシャフトＧＳは軸受部２ａ、２ｂを支持し、他方のガイドシャフトＧＳは軸受部２ｃを支持する。ピックアップベース２には図示しないモータの駆動力が伝えられ、ピックアップベース２は２本のガイドシャフトＧＳによりガイドシャフトＧＳの軸線方向、言い換えるとＹ軸方向に摺動可能に支持される。
【００２１】
対物レンズアクチュエータ３上には光ピックアップ１の光学系を構成する部材が搭載される。以下、光ピックアップ１の光学系について詳説する。本実施形態の光ピックアップ１は、ＢＤ、ＤＶＤ、及びＣＤに対して情報の読み取りと情報の書き込みを可能に設けられている。
【００２２】
光ピックアップ１は２種類の光学系を備える。このうちの一方はＢＤ用の光学系であり、他方はＤＶＤ及びＣＤ（ＤＶＤ／ＣＤ）用の光学系である。この２種類の光学系は、光ピックアップ１によって情報の読み取りや書き込みが行われる光ディスクＤの種類（ここでは、ＢＤ、ＤＶＤ、及びＣＤのうちのいずれか）によって切り換えて使用される。以下、ＢＤ用の光学系、ＤＶＤ／ＣＤ用の光学系について、別々に説明する。
【００２３】
ＢＤ用の光学系は、第１レーザダイオード１１、回折素子１２、偏光ビームスプリッタ１３、第１コリメートレンズ１４、１／４波長板１５、第１立ち上げミラー１６、第１対物レンズ１７、第１シリンドリカルレンズ１８及び第１フォトディテクタ１９を備える。
【００２４】
第１レーザダイオード１１は波長４０５ｎｍ帯の光ビーム（レーザ光）を出射する光源である。第１レーザダイオード１１から出射された光ビームは、回折素子１２によって主ビームと２つの副ビームとに分けられる。回折素子１２から出射した光ビームは、偏光ビームスプリッタ１３で反射され、第１コリメートレンズ１４に送られる。
【００２５】
第１コリメートレンズ１４は図示しない駆動手段によって光軸方向（図２に示す矢印の方向）に移動可能となっており、その位置によって、第１対物レンズ１７に入射する光ビームの収束発散状態を変化させる。このような構成とするのは、球面収差の補正を行えるようにするためである。
【００２６】
第１コリメートレンズ１４から出射された光ビーム（平行光）は、偏光ビームスプリッタ１３と協働して光アイソレータとして機能する１／４波長板１５を通過し、第１立ち上げミラー１６によって反射されて第１対物レンズ１７に入射する。第１対物レンズ１７は入射した光ビームを光ディスクＤの情報記録面Ｄｒに集光する。
【００２７】
光ディスクＤで反射された光ビームは第１対物レンズ１７を透過後、第１立ち上げミラー１６で反射され、１／４波長板１５、第１コリメートレンズ１４の順に透過後、更に偏光ビームスプリッタ１３も透過する。偏光ビームスプリッタ１３を透過した光ビームは、非点収差を補正する機能を有する第１シリンドリカルレンズ１８を透過して、第１フォトディテクタ１９の受光面に集光される。第１フォトディテクタ１９は入射した光信号を電気信号に変換して出力する。ここで出力された電気信号は図示しない信号処理部で処理されて、再生信号や、フォーカスエラー信号や、トラッキングエラー信号等となる。
【００２８】
次に、ＤＶＤ／ＣＤ用の光学系について説明する。ＤＶＤ／ＣＤ用の光学系は、第２レーザダイオード２１、ハーフミラー２２、第２コリメートレンズ２３、第２立ち上げミラー２４、第２対物レンズ２５、第２シリンドリカルレンズ２６及び第２フォトディテクタ２７を備える。
【００２９】
第２レーザダイオード２１は波長６５０ｎｍ帯の光ビームと、波長７８０ｎｍ帯の光ビームと、を切り換えて出射できる２波長レーザである。第２レーザダイオード２１から出射された光ビームはハーフミラー２２で反射されて第２コリメートレンズ２３に送られ、平行光に変換される。
【００３０】
第２コリメートレンズ２３から出射された光ビーム（平行光）は第２立ち上げミラー２４で反射され、第２対物レンズ２５に入射し、光ディスクＤの記録面Ｄｒに集光される。
【００３１】
光ディスクＤで反射された光ビームは第２対物レンズ２５を透過後、第２立ち上げミラー２４で反射され、第２コリメートレンズ２３、ハーフミラー２２の順に透過し、非点収差を付与する機能を有する第２シリンドリカルレンズ２６を透過して、第２フォトディテクタ２７の受光面に集光される。第２フォトディテクタ２７は入射した光信号を電気信号に変換して出力する。ここで出力された電気信号は図示しない信号処理部によって処理されて、再生信号や、フォーカスエラー信号や、トラッキングエラー信号等となる。
【００３２】
第１対物レンズ１７と第２対物レンズ２５とは対物レンズアクチュエータ３（詳細は後述）によって、フォーカス方向、ラジアル方向、チルト方向に移動せしめられる。これにより、光ピックアップ１におけるフォーカシング制御、トラッキング制御、チルト制御が可能となっている。
【００３３】
以下さらに図３〜図６も参照して対物レンズアクチュエータ３について詳説する。図３は対物レンズアクチュエータ３の構成を示す上面図である。図４は対物レンズアクチュエータ３の構成を示す正面図である。図５は対物レンズアクチュエータ３の構成を示す左側面図である。図６は対物レンズアクチュエータ３の構成を示す右側面図である。
【００３４】
対物レンズアクチュエータ３はピックアップベース２の内部に配置される強磁性のアクチュエータベース３１、第１対物レンズ１７及び第２対物レンズ２５を保持するレンズホルダ３２、導電基板３３、永久磁石３４、ゲルホルダ（固定部材）３５、配線基板３６、ワイヤ（棒状弾性支持部材）３７及び可動部材３８を備える。
【００３５】
アクチュエータベース３１には、そのほぼ中央に光ビームを通過させる貫通孔（図示せず）が形成されている。そして、この貫通孔の上にレンズホルダ３２が配置される構成となっている。なお、本実施形態では第１対物レンズ１７及び第２対物レンズ２５をタンジェンシャル方向に配置する構成としているがこれに限られるものではない。例えば第１対物レンズ１７及び第２対物レンズ２５をラジアル方向に配置する構成等としてもよい。
【００３６】
レンズホルダ３２は、液晶ポリマ（ＬＣＰ）等の樹脂によって形成され、対物レンズ１７、２５を保持する。本実施形態においては、光ピックアップ１が２つの対物レンズ１７、２５を有する構成となっているために、レンズホルダ３２には２つの対物レンズ１７、２５を保持できるように２つの保持部（図示せず）が設けられる。２つの保持部はそれぞれ光ビームを通過させる光路孔（図示せず）と繋がっており、これにより第１レーザダイオード１１からの光ビームが第１対物レンズ１７を、第２レーザダイオード２１からの光ビームが第２対物レンズ２５を通過するようになっている。
【００３７】
レンズホルダ３２の内壁には内壁に沿ってフォーカスコイル（図示せず）が配置される。また、レンズホルダ３２の外壁（永久磁石３４に対向する側壁）には、トラッキングコイル（図示せず）がそれぞれ一本ずつ接着剤等で貼り付けられている。また、レンズホルダ３２の内部であってフォーカスコイルの下部側にはラジアル方向に対称配置されるチルトコイルが取り付けられている。各コイルはいずれも略矩形状に巻回され、ワイヤ３７及び導電基板３３を介して配線基板３６から電流が供給される。
【００３８】
導電基板３３は各コイルに配線基板３６から供給された電流を供給する。導電基板３３はレンズホルダ３２の正面及び背面に取り付けられて、レンズホルダ３２を挟んでラジアル方向に対向配置される。
【００３９】
レンズホルダ３２はワイヤ３７によってアクチュエータベース３１に対して揺動可能に支持されている。ワイヤ３７はレンズホルダ３２を挟んで夫々略平行に３本ずつ合計６本設けられる。各ワイヤ３７の一端は各導電基板３３に半田付けにて固定されて各コイルと電気的に接続される。また、各ワイヤ３７の他端はゲルホルダ３５内を通過してゲルホルダ３５に取り付けられる配線基板３６に半田付けにて固定される。当該構成により配線基板３６と各コイルとが電気的に接続される。
【００４０】
一対の永久磁石３４はアクチュエータベース３１上に、レンズホルダ３２を挟むようにタンジェンタル方向に対称配置される。
【００４１】
ポリカーボネート等の樹脂成形品から成るゲルホルダ３５は、一方の永久磁石３４の外面側（永久磁石３４において、レンズホルダ３２に対向する側の反対側）に配置される。ゲルホルダ３５には、シリコンを主成分とするゲル材が充填される。このゲル材は、低粘度のゲル材（ゾル）がゲルホルダ３５に注入された後、所定時間の紫外線照射によってゲル状に硬化したものである。ゲルホルダ３５には複数の貫通孔（図示せず）が設けられており、各貫通孔に各ワイヤ３７が挿通されることによってレンズホルダ３２の駆動に伴うワイヤ３７の振動が減衰される。
【００４２】
配線基板３６は、厚みの薄いフレキシブル配線基板であり、ゲルホルダ３５の外側面に固定配置される。配線基板３６は光ピックアップ１全体を制御する制御部からの信号を受信して、各ワイヤ３７及び導電基板３３を介して各コイルに電流を供給する基板である。
【００４３】
ゲルホルダ３５に対する配線基板３６の固定について図７〜図１２も参照して説明する。図７〜図９は配線基板３６の両側端部をゲルホルダ３５に取り付けた状態を示す上面図、正面図、右側面図である。図１０〜図１２は配線基板３６が緊張状態でゲルホルダ３５に取り付けられている状態を示す上面図、正面図、右側面図である。
【００４４】
ゲルホルダ３５は４個の側壁を有し、永久磁石３４と対向する側壁３５ａ、側壁３５ａとは反対側の側壁３５ｂ、側壁３５ａ及び３５ｂと面方向が直交する側壁３５ｃ、３５ｄを有する（特に図３、図７及び図１０参照）。各ワイヤ３７は側壁３５ａ及び側壁３５ｂに形成される貫通孔を介してゲルホルダ３５に挿通される。
【００４５】
配線基板３６は上述したようにフレキシブル配線基板であり柔軟性を有する。そこで本実施形態では配線基板３６の両端部３６ａ、３６ｂを折り曲げて側壁３５ｃ、３５ｄに着設する。本実施形態では接着剤により両端部３６ａ、３６ｂを側壁３５ｃ、３５ｄに接着しているが、着接方法はこれに限られるものではない。例えば両端部３６ａ、３６ｂ及び側壁３５ｃ、３５ｄに孔部を形成し、ビスを挿入してビス固定することとしてもよい。
【００４６】
両端部３６ａ、３６ｂと側壁３５ｃ、３５ｄとを着接することにより、着接方向がワイヤ３７の長さ方向（図３及び図４参照）と略直交する。当該構成によりワイヤ３７がタンジェンシャル方向に移動することにより配線基板３６に加わる力の方向と、側壁３５ｃ、３５ｄに対する両端部３６ａ、３６ｂの取り外し方向とが略直交するため、ワイヤ３７の移動によって両端部３６ａ、３６ｂと側壁３５ｃ、３５ｄとの着接が解除されない。また、両端部３６ａ、３６ｂが側壁３５ｃ、３５ｄに着接されているので、両端部３６ａ、３６ｂにおける捻れや反りに起因して配線基板３６全体に生じる捻れや反りが抑制される。
【００４７】
配線基板３６はフレキシブル基板であるため、両端部３６ａ、３６ｂを側壁３５ｃ、３５ｄに着接するのみでは、側壁３５ａ側ではやや撓んだ状態となる（図７参照）。以下、説明を簡略化するため当該配線基板３６の撓んだ部分を撓み部３６ｃと称する。図７に示す状態では高湿度、高温度の環境下で撓み部３６ｃに捻れや反りが発生しうる。そこで本実施形態では、側壁３５ｂに凹部３５ｅを凹設し、当該凹部３５ｅ内にタンジェンシャル方向に移動可能な可動部材３８を配する。言い換えれば、可動部材３８はゲルホルダ３５と配線基板３６との間でタンジェンシャル方向に移動可能に配される。なお、可動部材３８はゲルホルダ３５と同様にポリカーボネート等の樹脂成形品から成る。
【００４８】
そして図１０〜１２に示すように可動部材３８をタンジェンシャル方向且つ配線基板３６に向かって移動させて可動部材３８で撓み部３６ｃの略中央部を押し上げることで撓み部３６ｃが緊張状態になる。このような状態で可動部材３８と凹部３５ｅとの間に形成される隙間Ｇ１にはＵＶ硬貨接着剤や熱硬化接着剤が注入されて可動部材３８が完全に固定される。また、配線基板３６と側壁３５ｂとの間に形成される隙間Ｇ２、Ｇ３にゲル材を注入して硬化させることでダンパー効果が得られる。当該構成により撓み部３６ｃの捻れや反りの発生が抑制される。
【００４９】
本実施形態によれば薄いシート状のフレキシブル配線基板が緊張状態であり、支持部材の他端がフレキシブル配線基板に取り付けられるので、微小変位（微小振動）することはあるが大きな捻れや反りが発生せず、不要共振が抑制される。また、フレキシブル配線基板の両側端部が固定部材に着接されることで両側端部の捻れや反りに起因するフレキシブル配線基板に生ずる捻れや反りが抑制される。また、フレキシブル配線基板が緊張状態で固定部材に取り付けられることで配線基板に生ずる捻れや反りがより一層抑制される。フレキシブル配線基板に生ずる捻れ及び反りが抑制されることでレンズチルト変化が抑制される。
＜第２実施形態＞
上記第１実施形態では配線基板３６を緊張状態にする可動部材３８を樹脂成型品としたがこれに限られるものではなく金属成型品であってもよい。可動部材３８を金属成形品とした場合の一例として本実施形態ではビス３８１により配線基板３６を緊張状態にする方法について説明する。なお、配線基板３６の両側端部３６ａ、３６ｂの着接方法については第１実施形態と同様であるため説明を省略する。
【００５０】
図１３〜図１５は本実施形態において配線基板３６が緊張状態でゲルホルダ３５に取り付けられている状態を示す上面図、正面図である。
【００５１】
側壁３５ａ、３５ｂの略中央部にはビス３８１の軸部３８１ａが挿通される貫通孔（不図示）が形成される。ビス３８１は軸部３８１ａと軸部３８１ａの一端に設けられる頭部３８１ｂとを備える。貫通孔の径は頭部３８１ｂの径よりも小さく形成され、軸部３８１ａがゲルホルダ３５内をタンジェンシャル方向且つ配線基板３６に向かって移動した場合に頭部３８１ｂが側壁３５ａに当たることで軸部３８１ａの移動が停止する。
【００５２】
ビス３８１をタンジェンシャル方向且つ配線基板３６に向かって移動させて、軸部３８１ａの他端（頭部３８１ｂが設けられている端部とは逆の端部）で撓み部３６ｃの略中央部を押し上げることで撓み部３６ｃが緊張状態になる。このような状態で配線基板３６と側壁３５ｂとの間に形成される隙間Ｇ４、Ｇ５にゲル材を注入して硬化させることでダンパー効果が得られる。
【００５３】
本実施形態によれば第１実施形態と同様の効果を奏する。
【００５４】
＜第３実施形態＞
上記第２実施形態では金属成型品からなる可動部材３８（ビス３８１）により配線基板３６を押し上げることとしたが、金属成型品で直接配線基板３６を押し上げると配線基板３６を傷つけてしまう可能性がある。また、第１実施形態及び第２実施形態では可動部材３８により配線基板３６の略中央部を押し上げることとしたが、配線基板３６の一部の狭い範囲を押し上げると当該部分への負荷が大きく、配線基板３６を傷つけてしまう可能性がある。そこで本実施形態では、金属成型品による損傷を防止し、及び／又は、可動部材３８による配線基板３６への負荷を分散するために、可動部材３８と配線基板３６との間に樹脂成型品からなる補強部材３９を配する。
【００５５】
図１５は第１実施形態の変形例（補強部材３９を備えた取付け構造）を示す図であり、図１６は第２実施形態の変形例（補強部材３９を備えた取付け構造）を示す図である。図１５及び図１６に示すように補強部材３９は可動部材３８と配線基板３６との接触面積よりも配線基板３６との接触面積が大きくなるように形成される。配線基板３６との接触面積を大きくすることで配線基板３６にかかる負荷を分散させることができる。
【００５６】
本実施形態によれば第１実施形態と同様の効果を奏する。加えて、金属成形品による配線基板への損傷を抑制し、及び／又は、配線基板にかかる負荷を分散することで配線基板の損傷を抑制することができる。
【符号の説明】
【００５７】
１        光ピックアップ
２        ピックアップベース
３        対物レンズアクチュエータ
１１      第１レーザダイオード
１２      回折素子
１３      偏光ビームスプリッタ
１４      第１コリメートレンズ
１５      １／４波長板
１６      第１立ち上げミラー
１７      第１対物レンズ
１８      第１シリンドリカルレンズ
１９      第１フォトディテクタ
２１      第２レーザダイオード
２２      ハーフミラー
２３      第２コリメートレンズ
２４      第２立ち上げミラー
２５      第２対物レンズ
２６      第２シリンドリカルレンズ
２７      第２フォトディテクタ
３１      アクチュエータベース
３２      レンズホルダ
３３      導電基板
３４      永久磁石
３５      ゲルホルダ
３６      配線基板
３７      ワイヤ
３８      可動部材
３９      補強部材
【図１】
2015038795.tif 000003
【図２】
2015038795.tif 000004
【図３】
2015038795.tif 000005
【図４】
2015038795.tif 000006
【図５】
2015038795.tif 000007
【図６】
2015038795.tif 000008
【図７】
2015038795.tif 000009
【図８】
2015038795.tif 000010
【図９】
2015038795.tif 000011
【図１０】
2015038795.tif 000012
【図１１】
2015038795.tif 000013
【図１２】
2015038795.tif 000014
【図１３】
2015038795.tif 000015
【図１４】
2015038795.tif 000016
【図１５】
2015038795.tif 000017
【図１６】
2015038795.tif 000018